(57)【要約】【課題】  微妙な魚信にも敏感であり、向こう合わせでハリ掛りさせるためのてんびんの機能を備え、且つハリスの絡みを防止することができるおもりを提供することを課題とする。【解決手段】  釣用おもり１００は、おもり本体１０の上部中心１０ａから垂直に下部に向けて嵌入し、おもり本体１０の内部においておもりの側面１０ｂに向けて連続的曲線で湾曲し、おもりの中心線に対し斜め下方に向けておもり側面１０ｂから外部に所定長突出する金属製の貫通管２を備えていることを特徴とする。  【選択図】    図１
2006180817.tif 000002
【特許請求の範囲】
【請求項１】
釣用のおもりであって、該おもりの上部中心から垂直に下部に向けて嵌入し、おもりの内部においておもりの側面に向けて連続的曲線で湾曲し、おもりの中心線に対し斜め下方に向けておもり側面から外部に所定長突出した金属製の貫通管を備えていることを特徴とする釣用おもり。
【発明の詳細な説明】
【技術分野】
【０００１】
本発明は、釣用のおもりに関し、詳しくは釣り糸の貫通パイプを備えているおもりに関する。
【背景技術】
【０００２】
従来、沈底法によって釣りを行う場合、一般的にはおもりによって餌を水中に沈めているが、おもりが魚信を感じにくくする問題を解決するため、おもりに釣り糸を貫通させる孔を設けた中通しおもりが用いられていた。
【０００３】
特許文献１には、従来の中通しタイプのおもりが開示されており、さらにおもりの重さを変更したい場合に交換が容易な発明が開示されている。しかし、これらの発明では、接続されたハリスなどがおもりに絡まる問題があった。
【０００４】
このため、従来は、みち糸に特許文献２に開示されているようなてんびんなどの部材を接続して、おもりとの絡まりを防止するなどの対策がとられていた。これらのてんびんは、みち糸が接続される第１てんびんと、それと直角に水平方向に延びる第２てんびんとからなる形態が一般的であった。
【０００５】
しかし、てんびんなどの部材を接続することは、仕掛けの部材が多くなり、仕掛けの接続に時間を取られる問題と、接続が外れる恐れなどの問題があった。
【０００６】
このため、できるだけ簡易な用具に留め、接続部材を少なくすることが求められていた。
【０００７】
【特許文献１】特開平８−１６８３２９号公報（第２頁、第１、６〜８図）
【特許文献２】特開２００２−７８４３６号公報（第２頁、第１図）
【発明の開示】
【発明が解決しようとする課題】
【０００８】
本発明は、前記の問題に鑑みて、微妙な魚信にも敏感であり、向こう合わせでハリ掛りさせるためのてんびんの機能を備え、且つハリスの絡みを防止することができるおもりを提供することを課題とする。
【課題を解決するための手段】
【０００９】
前記課題を解決するため、本発明の釣用おもりは、釣用のおもりであって、該おもりの上部中心から垂直に下部に向けて嵌入し、おもりの内部においておもりの側面に向けて連続的曲線で湾曲し、おもりの中心線に対し斜め下方に向けておもり側面から外部に所定長突出する金属製の貫通管を備えていることを特徴とする。
【００１０】
また、前記貫通管の側面突出寸法は、おもりの長手方向の長さまたは周囲長と略同一或いはそれを超える長さを有するものとしておき、使用に際してそのまま或いは状況に合わせて切断して使用することができるようにする。
【００１１】
また、前記貫通管の側面突出位置は、おもりの長手方向に対し、上部に近い位置、中間の位置及び下部に近い位置のいずれでもよく、釣りの対象又は釣り場の状況に応じて選択可能なものとする。
【００１２】
また、前記おもりは、なす形、角形、釣鐘形、丸型を含むあらゆる形に適用することができる。
【００１３】
また、前記貫通管のおもりの上部に突出した端部及びおもりの側面に突出した端部の切り口は滑らかに形成し、釣り糸が摺れないようにする。
【発明の効果】
【００１４】
本発明の釣用おもりによれば、釣り糸がおもりの中を貫通していることにより、微妙な魚信にも敏感であり、また、貫通管が設けられていることにより向こう合わせでハリ掛りさせるためのてんびんの機能を備え、且つハリスの絡みを防止することができる。
【００１５】
さらに、従来のてんびんを用いる必要のある場合に比べて、接続が容易となると共に、コスト負担を少なくすることができる。
【発明を実施するための最良の形態】
【００１６】
以下、図面を参照して本発明の釣用おもりの実施の形態を詳細に説明する。
【００１７】
図１は本発明の釣用おもりの正面図である。この実施の形態は、なす型のおもりに本発明を適用したもので、釣用おもり１００は、おもり本体１０の上部中心１０ａから垂直に下部に向けて嵌入し、おもり本体１０の内部においておもりの側面１０ｂに向けて連続的曲線で湾曲し、おもりの中心線に対し斜め下方に向けておもり側面１０ｂから外部に所定長突出する金属製の貫通管２を備えている。
【００１８】
本発明の釣用おもり１００は、道糸４を貫通管２の内部に通し、貫通させた道糸４の前後にビーズ６をはさんでサルカン５に接続して利用する。
【００１９】
この形態では、おもりは、中通しおもりとして機能するため、微妙な魚信にも敏感である。
【００２０】
また、おもり側面１０ｂから外部に所定長突出する貫通管２は、てんびんの機能をはたすため、ハリスの絡みを防ぐことができる。
【００２１】
前記貫通管２は、金属管であれば、鉄管、ステンレス管、アルミニウム管などいずれを用いてもよい。望ましくは、ステンレス管やアルミニウム管を用いれば、海水による腐蝕を防止することができる。
【００２２】
前記貫通管２の側面突出寸法Ｌは、任意に設定することができる。通常は、おもりの長手方向の長さまたは周囲長と略同一或いはそれを超える長さを有するものとしておき、使用に際してそのまま或いは状況に合わせて切断して使用することができるようにするのが望ましい。
【００２３】
また、前記貫通管２のおもりの上部に突出した端部２ａ及びおもりの側面に突出した端部２ｂの切り口は滑らかに形成し、釣り糸が摺れないようにすることが望ましい。
【００２４】
図２は、貫通管２の取付け位置の別の実施の形態を説明する正面図である。
【００２５】
図２に示すように、貫通管２の取付け位置は、おもり側面１０ｂから外部に突出させるものに限らず、おもりの中心位置に近い位置のおもり側面１０ｃから外部に突出させる形態、おもりの底に近い位置のおもり側面１０ｄから外部に突出させる形態、或いは図示していない側面のいずれの場所でも、任意に選択した位置から外部に突出させる形態を選ぶことができる。
【００２６】
次に、本発明の別の実施の形態を図３、図４、図５に示して説明する。図３、４、５において図１と同様な機能については同一の符号を付して説明を省略する。
【００２７】
図３は、角おもりの実施の形態を示す斜視図である。釣用おもり１０１は、おもり本体１１の上部１１ａから垂直に下部に向けて嵌入し、おもり本体１１の内部においておもりの側面１１ｂに向けて連続的曲線で湾曲し、おもりの中心線に対し斜め下方に向けておもり側面１１ｂから外部に所定長突出する金属製の貫通管２を備えたものである。
【００２８】
図４は、丸おもりの実施の形態を示す斜視図である。釣用おもり１０２は、おもり本体１２の上部１２ａから垂直に下部に向けて嵌入し、おもり本体１２の内部においておもりの側面１２ｂに向けて連続的曲線で湾曲し、おもりの中心線に対し斜め下方に向けておもり側面１２ｂから外部に所定長突出する金属製の貫通管２を備えたものである。
【００２９】
図５は、ツリガネおもりの実施の形態を示す斜視図である。釣用おもり１０３は、おもり本体１３の上部１３ａから垂直に下部に向けて嵌入し、おもり本体１２の内部においておもりの側面１３ｂに向けて連続的曲線で湾曲し、おもりの中心線に対し斜め下方に向けておもり側面１３ｂから外部に所定長突出する金属製の貫通管２を備えたものである。
【００３０】
なお、以上説明した実施の形態に拘らず、これ以外の形態を持つおもりであっても、貫通管を嵌入可能な容積を有するおもりであれば、本発明の技術的思想を適用することができることは勿論である。
【００３１】
また、実施の形態では、おもりの上部に貫通管２の端部が突出している例を示したが、おもりの上部に貫通管の端部を突出させない形態であってもよい。
【図面の簡単な説明】
【００３２】
【図１】本発明の釣用おもりの正面図である。
【図２】貫通管２の取付け位置の別の実施の形態を説明する正面図である。
【図３】角おもりの実施の形態を示す斜視図である。
【図４】丸おもりの実施の形態を示す斜視図である。
【図５】ツリガネおもりの実施の形態を示す斜視図である。
【符号の説明】
【００３３】
２    貫通管
２ａ  端部
２ｂ  端部
４    道糸
５    サルカン
６    ビーズ
１０    おもり本体
１０ａ  上部
１０ｂ  おもり側面
１０ｃ  おもり側面
１０ｄ  おもり側面
１１    おもり本体（角おもり）
１１ａ  上部
１１ｂ  おもり側面
１２    おもり本体（丸おもり）
１２ａ  上部
１２ｂ  おもり側面
１３    おもり本体（ツリガネおもり）
１３ａ  上部
１３ｂ  おもり側面
１００    釣用おもり（なすおもり）
１０１    釣用おもり（角おもり）
１０２    釣用おもり（丸おもり）
１０３    釣用おもり（ツリガネおもり）
Ｌ      側面突出寸法
【図１】
2006180817.tif 000003
【図２】
2006180817.tif 000004
【図３】
2006180817.tif 000005
【図４】
2006180817.tif 000006
【図５】
2006180817.tif 000007